(57)【要約】【課題】指紋認証機能を備えた使用安全性を向上したかばん錠を提供する。【解決手段】  重要な物品や資料を携帯型収納装置及び大型収納装置の開口箇所に設置してロックする錠であって、認証装置、錠装置を備え、認証装置はスライド可能なスライドボタン及び指紋を識別する検知部を設け、検知部にコネクタを電気的に接続して、検知部の検知信号を錠装置の制御回路に転送でき、錠装置はベースの収容空間内部に制御回路を設け、駆動ユニットを制御して位置決めスライドブロックの位置移動を連動させ、位置決めスライドブロックの側部にストッパを備えて連動部材がスライドするのを制限でき、更に連動部材の側辺に支持体を設けて係合部材を支持し、係合部材はストッパ溝及び両側の可動な係合体を設け、二つの係合体は係合受け部材上部の係合孔に可動に係合して、指紋を利用して施錠、開錠を制御できるようにし、収納装置を確実にロックする。【選択図】  図２
0003135266.tif 000002
【実用新案登録請求の範囲】
【請求項１】
指紋認証機能を備えた錠は、大割型収納装置の開口箇所に設置してロックすることができる錠であって、認証装置、錠装置を備えて組成し、
前記認証装置は指紋を認証する検知部を設け、検知部に電気的に接続して信号を伝送するコネクタを設け、且つスライド移動可能にスライドボタンを設け、
前記錠装置は認証装置のコネクタと電気的に接続して制御回路を設け、
前記制御回路はベースの収容空間内部に設置し、制御回路で位置決めスライドブロックの位置移動を連動させる駆動ユニットをコントロールし、位置決めスライドブロックの側部に連動部材がスライドするのを制限するストッパを備え、
更に前記連動部材の側辺に係合部材を支持する支持体を設けて係合部材を支持し、係合部材は支持体に対応し、両側の係合体の開閉を連動させるストッパ溝を両側に設け、更に上部に係合孔を備えて二つの係合体が可動に係合する係合受け部材を備えるようにして成ることを特徴とする指紋認証機能を備えた錠。
【請求項２】
前記認証装置のスライドボタン底部に制動孔を設けるようにして成ることを特徴とする請求項１記載の指紋認証機能を備えた錠。
【請求項３】
前記錠装置の制御回路がコントロールする駆動ユニットは、気圧ボンベ、液圧ボンベ、モータ、電動機、動力機など動力を生成することができる駆動ユニットとすることができ、駆動ユニット及び位置決めスライドブロックはそれぞれ位置決めフレームに装着し、位置決めフレームは駆動ユニットを収容できる収容部を設け、収容部の横に位置決めスライドブロックを収容してその位置移動を制限するスライドレールを設け、
また、前記錠装置の連動部材の支持体が対応する係合部材は、両側にそれぞれ可動に枢設して係合体を設け、それぞれ傾斜状のスロットを設けて位置決め体を挿入できるようにして、二つの係合体が上向きに集束し下向きに広がる位置移動になるよう位置決めできるようにして成ることを特徴とする請求項１記載の指紋認証機能を備えた錠。
【請求項４】
前記駆動ユニットはシャフト上に軸孔を設け、且つ制動ブロック上に軸孔に通す凸柱を設け、位置決めスライドブロックの突起を嵌入して制動するストッパ溝を設け、且つ駆動ユニットのシャフトに連なって設けた制動ブロックは、側部が位置決めフレームの底部に可動に枢設して成ることを特徴とする請求項３記載の指紋認証機能を備えた錠。
【考案の詳細な説明】
【技術分野】
【０００１】
本考案は、指紋認証機能を備えた錠に関し、特に収納装置の開口箇所に設置してロックする錠であって、指紋認証を利用して錠の開閉を制御することができ、大型収納装置の確実な施錠を提供する指紋認証機能を備えた錠に関する。
【背景技術】
【０００２】
重要な物品や資料を携帯型収納装置及び中央分離開閉の大型収納装置（ビジネスバッグ、トランク、スーツケース、セキュリティケースなど）に入れる場合、収納装置には箱体の開口箇所に錠を設置して施錠できるようにしているが、実際の使用において多くの問題と欠点がある。
（１）現在の箱体に使用されている錠（ナンバーロック、キーロックなど）は、大多数がナンバーロック、暗証番号ロック、コードロック、キーロックなどの錠だが、これらの錠は構造が簡単で、解錠が容易、開けやすいため、破壊されて盗難に遭いやすい。
（２）箱体の錠は特定の人のために設定されていないため、誰でも番号やキーを取得すれば箱体を開けることができ、プライバシーが保護されず、内部資料保護の機能性が低い。
（３）公知の箱体の錠は、キーまたは記憶した番号がなければ開錠できないが、キーの携帯は面倒なうえに遺失しやすい。番号の記憶も間違いや番号忘れの可能性があり、開錠の不便と困難を招く。
【特許文献１】特開２００５−２３２８４４公報
【考案の開示】
【考案が解決しようとする課題】
【０００３】
本考案は、上記の公知の収納装置のセーフティロックの問題を解決し、解錠、破壊が容易でなく、安全守秘性が増大し、使用者はキーを携帯したり、番号を記憶したりする必要がなく、キー携帯忘れや番号忘れにより開錠できないといったことがない指紋認証機能を備えた錠を提供することを課題とする。
【課題を解決するための手段】
【０００４】
指紋認証機能を備えた錠は、認証装置にスライドボタンと指紋を認証する検知部を儲け、検知部の検知信号を錠装置の制御回路に転送し、駆動装置をコントロールして位置決めスライドブロックを移動させ、位置決めスライドブロックの側部にストッパを備えて連動部材のスライドを制限し、更に連動部材の側辺に支持体を設けて係合部材を支持し、係合部材にストッパ溝及び両側の可動な係合体を設け、二つの係合体は係合受け部材上部の係合孔に可動に嵌合して、指紋を利用した錠装置の施錠、開錠の制御を達成し、中央分離開閉の大型収納装置の確実な施錠を提供し、収納装置の使用安全性を向上する。
【考案の効果】
【０００５】
本考案の指紋認証機能を備えた錠は実際の使用において以下の長所がある。
（１）収納装置３は認証装置１を利用して使用者の指紋を識別し、更に錠装置２の施錠、開錠を制御して、錠の構造難度を向上し、解錠、破壊が容易でなく、よりよい実用効果を備えている。
（２）錠の認証装置１は使用者に応じて設定できるため、異なる使用者による開錠を効果的に避けることができ、錠の使用時における安全守秘性が増大する。
（３）錠は指紋識別機能を利用して開錠、施錠の機能を達成し、使用者はキーを携帯したり、番号を記憶したりする必要がなく、キー携帯忘れや番号忘れにより開錠できない問題を防止する。
【考案を実施するための最良の形態】
【０００６】
本考案の好適な指紋認証機能を備えた錠の実施例を図面を参照して説明する。
図１、図２、図３に示すように、本考案の実施例の錠は、認証装置１、錠装置２及び収納装置３などの構成部材を備えて組成する。
認証装置１は電子ベース１１上に検知部１２を装着して、指紋認証できるようにし（電子ベース１１と検知部１２は一般の指紋認証装置関連の電子回路構造であり、ここでは詳述しない）、検知部１２底部にコネクタ１２１を設け、側部には移動可能にスライドボタン１３を設け、スライドボタン１３底部に制動孔１３１を備える。
【０００７】
錠装置２はベース２１のケース２１１、カバー２１２の間に収容空間２２を備え、収容空間２２内に制御回路２２１を設け、制御回路２２１が駆動ユニット２２２に電気的に接続し、駆動ユニット２２２はシャフト２２２１を利用して、位置決めフレーム２３の制動ブロック２２３に接続し、制動ブロック２２３の回転によって位置決めスライドブロック２３１を制御する。
更に、位置決めスライドブロック２３１の側部に突設したストッパ２３２が連動部材２４側部のクラッチ２４１に弾接して止め、連動部材２４はクラッチ２４１の側辺に推動杆２４２を設け、推動杆２４２はカバー２１２の外部まで突出するようにする。連動部材２４の別の側を下向きに延伸して、底部の両側に水平に支持体２４３を突設し、連動部材２４の二つの支持体２４３によって、係合部材２５の底縁２５１をそれぞれ支持する。係合部材２５は底縁２５１に弾接体２５２を設け、弾接体２５２の両側に、位置移動すると支持体２４３にそれぞれ対応するストッパ溝２５３を設ける。
また、係合部材２５の両側に係合体２５４をそれぞれ可動に枢設し、二つの係合体２５４にそれぞれ傾斜状のスロット２５４１を設け、二つのスロット２５４１は位置決め体２５４２をそれぞれ挿入でき、係合体２５４が係合部材２５の両側で上に集束し下に広がる位置へ移動をするように制限し、更に二つの係合体２５４で係合受け部材２６上部の係合孔２６１に嵌合し、係合受け部材２６はベース２１の底部外側に位置する。
【０００８】
収納装置３は中央分離開閉の大型収納装置（ビジネスバッグ、トランク、スーツケース、セキュリティケースなど）とすることができ、向かい合う上箱体３１、下箱体３２から成り、上箱体３１、下箱体３２の内部に収納空間３３を形成する。
上述の構成部材を組み立てる際は、認証装置１、錠装置２をそれぞれ収納装置３の上箱体３１、下箱体３２に装着し、認証装置１が上箱体３１外部に位置するようにし、認証装置１に相当する位置に錠装置２を上箱体３１の内部に装着し、錠装置２のカバー２１２の突出した推動杆２４２が、認証装置１のスライドボタン１３底部の制動孔１３１内に挿入嵌合されるようにする。
錠装置２の係合受け部材２６は下箱体３２内部に固設し、錠装置２のケース２１１底部に突出した係合体２４３が、係合受け部材２６の係合孔２６１内に係合して、錠装置２によって収納装置３の上箱体３１、下箱体３２が結合し施錠されるという目的を達成する。
【０００９】
上述の錠装置２の制御回路２２１に接続した駆動ユニット２２２は、気圧ボンベ、液圧ボンベ、モータ、ソレノイド、電動機、動力機など動力を生成する駆動ユニット２２２とすることができる。
【００１０】
収容空間２２内で、制御回路２２１から駆動ユニット２２２に電気的に接続し、駆動ユニット２２２は位置決めフレーム２３の収容部２３４内に収容し、収容部２３４の側辺にスライドレール２３５を設け、位置決めスライドブロック２３１を収容し且つその位置移動方向を制限する。駆動ユニット２２２はシャフト２２２１上の軸孔２２２２を利用して、制動ブロック２２３の凸柱２２４を挿入し、制動ブロック２２３の一側を位置決めフレーム２３の底部に可動枢設することによって、また制動ブロック２２３にストッパ溝２２５を設けて、位置決めスライドブロック２３１の突起２３３が嵌合して制限され、位置決めスライドブロック２３１の側辺は、位置決めフレーム２３の側辺の弾性アーム２３６に弾接する。
駆動ユニット２２２のシャフト２２２１の収縮運動によって、制動ブロック２２３の回転を連動し、同時にストッパ溝２２５が回転して位置決めスライドブロック２３１の突起２３３から離れ、位置決めスライドブロック２３１が位置決めフレーム２３のスライドレール２３５内をスライドできるようにする。位置決めスライドブロック２３１がもとの位置に戻ると、駆動ユニット２２２がシャフト２２２１を押し出し、制動ブロック２２３のストッパ溝２２５が回転移動して位置決めスライドブロック２３１の突起２３３を制限し、位置決めスライドブロック２３１の制動を達成し、位置決めスライドブロック２３１は連動部材２４が横方向に移動できないように制限する。
【００１１】
図５、図６、図７、図８、図９に示すように、開錠するときは、使用者の指紋を認証装置１の検知部１２に検知させ、検知部１２の検知をパスすると、検知部１２は検知信号をコネクタ１２１から錠装置２の制御回路２２１に転送し、制御回路２２１が駆動ユニット２２２を起動する。駆動ユニット２２２はシャフト２２２１で制動ブロック２２３を連動し、制動ブロック２２３は位置決めスライドブロック２３１の突起２３３を離れ、位置決めスライドブロック２３１の水平方向への位置移動を許し、すると位置決めスライドブロック２３１のストッパ２３２を推し動かして連動部材２４のクラッチ２４１から離れさせ、同時に認証装置１のスライドボタン１３を押し動かし、スライドボタン１３が連動部材２４の推動杆２４２を推し動かし、クラッチ２４１が位置決めスライドブロック２３１のストッパを推し動かすようにする。
連動部材２４が移動すると、側辺底部の二つの支持体２４３が、係合部材２５底縁２５１のストッパ溝２５３に位置し、係合部材２５両側の係合体２５４は下向きに移動し、係合体２５４が位置決め体２５４２に位置決めされて、下向きに移動し外向きに広がる状態を呈し、係合体２５が係合受け部材２６の係合孔２６１を離れるようにする。これによってベース２１と係合受け部材２６が分離し、開錠が達成される。更に、ベース２１を装着した上箱体３１と係合受け部材２６を装着した下箱体３２を開くことができる（同時に、図２、図３に示す）。
【００１２】
認証装置１のスライドボタン１３を押し動かすのを止めると、上箱体３１を下箱体３２に合わせることができるようになり、ベース２１を係合受け部材２６に再び対応させ、係合部材２５底部の弾接体２５２が係合受け部材２６上部の位置移動を受け、係合部材２５のストッパ溝２５３が連動部材２４側辺両側の支持体２４３を離れ、同時に連動部材２４は横向きに移動して再度底縁２５１を支持し、係合部材２５を上向きに上昇させ、また両側の係合体２５４を内向きに集束させ、且つ係合受け部材２６上部の係合孔２６１内に係合させる。同時に連動部材２４は横向きに移動して元の位置に戻り、位置決めスライドブロック２３１をもとに戻して位置決めスライドブロック２３１の突起２３３が制動ブロック２２３に嵌合して錠装置２が施錠結合する効果を達成する。
【００１３】
収納装置３の上箱体３１内外部、下箱体３２内部にそれぞれ認証装置１、錠装置２を装着し、認証装置１で使用者の指紋を識別した後、錠装置２の係合部材２５両側の可動な係合体２５４が、係合受け部材２６上部の二つの係合孔２６１内にそれぞれ嵌合し、収納装置３開閉の安全防護の目的を達成する。認証装置１で錠装置２の施錠または開錠を制御することによって、収納装置３の使用守秘性が達成できる。
【図面の簡単な説明】
【００１４】
【図１】本考案の実施例の立体外観図である。
【図２】本考案の実施例の立体分解図である。
【図３】本考案の実施例の錠装置の立体分解図である。
【図４】本考案の実施例の上装置の立体外観図である。
【図５】本考案の実施例の開錠前の俯瞰図である。
【図６】本考案の実施例の開錠前の側面図である。
【図７】本考案の実施例の開錠中の側面図である。
【図８】本考案の実施例の開錠中の側面図である。
【図９】本考案の実施例の開錠後の側面図である。
【図１０】本考案の実施例の施錠前の側面図である。
【図１１】本考案の実施例の施錠後の側面図である。
【符号の説明】
【００１５】
１   認証装置
１１    電子ベース
１２    検知部
１２１  コネクタ
１３  スライドボタン
１３１  制動孔
２   錠装置
２１  ベース
２１１    ケース
２１２    カバー
２２  収容空間
２２１    制御回路
２２２    駆動ユニット
２２２１  シャフト
２２２２  軸孔
２２３    制動ブロック
２２４    凸柱
２２５    ストッパ溝
２３    位置決めフレーム
２３１    位置決めスライドブロック
２３２    ストッパ
２３３    突起
２３４    収容部
２３５    スライドレール
２３６    弾性アーム
２４  連動部材
２４１    クラッチ
２４２    推動杆
２４３    支持体
２５  係合部材
２５１    底縁
２５２    弾接体
２５３    ストッパ溝
２５４    係合体
２５４１ スロット
２５４２ 位置決め体
２６  係合受け部材
２６１    係合孔
３    収納装置
３１  上箱体
３２  下箱体
３３  収納空間
【図１】
0003135266.tif 000003
【図２】
0003135266.tif 000004
【図３】
0003135266.tif 000005
【図４】
0003135266.tif 000006
【図５】
0003135266.tif 000007
【図６】
0003135266.tif 000008
【図７】
0003135266.tif 000009
【図８】
0003135266.tif 000010
【図９】
0003135266.tif 000011
【図１０】
0003135266.tif 000012
【図１１】
0003135266.tif 000013